(57)【要約】【課題】ワイヤレスリモコンの取り付け位置が異なっても、その送信部の送信方向を適切となるように変化させて操作信号の送受信が良好に行われるようにし、これによりワイヤレスリモコンの相互干渉問題も解消され、温水洗浄便座装置本体が確実に動作される温水洗浄便座装置を提供する。【解決手段】操作信号を送信する送信部１を有したワイヤレスリモコン２と、ワイヤレスリモコン２からの操作信号を受信する受信部３を有し、受信部３にて受信した同操作信号により動作して人体局部の洗浄を行う温水洗浄便座装置本体４と、を備えた温水洗浄便座装置において、ワイヤレスリモコン２の送信部１の送信方向を可変とした。【選択図】図１
2008050858.tif 000002
【特許請求の範囲】
【請求項１】
操作信号を送信する送信部を有したワイヤレスリモコンと、ワイヤレスリモコンからの操作信号を受信する受信部を有し、受信部にて受信した同操作信号により動作して人体局部の洗浄を行う温水洗浄便座装置本体と、を備えた温水洗浄便座装置であって、ワイヤレスリモコンの送信部の送信方向を可変としてなる温水洗浄便座装置。
【請求項２】
送信部が上下に回動することによりその送信方向が可変であることを特徴とする請求項１記載の温水洗浄便座装置。
【請求項３】
ワイヤレスリモコンはアドレス設定部を有し、アドレス設定部で設定したアドレス番号を含む操作信号を同ワイヤレスリモコンの送信部は送信するものであり、温水洗浄便座装置本体はアドレス番号を記憶する不揮発性メモリを有し、不揮発性メモリに記憶したアドレス番号と前記操作信号に含まれるアドレス番号とが一致した場合にのみ同温水洗浄便座装置本体が動作するものであることを特徴とする請求項１又は請求項２記載の温水洗浄便座装置。
【発明の詳細な説明】
【技術分野】
【０００１】
本願発明は、洋式便器に設置されて人体局部の洗浄を行う温水洗浄便座装置本体と、トイレ室の壁面等に取り付けられて同温水洗浄便座装置本体の動作を操作するワイヤレスリモコンと、を備えた温水洗浄便座装置に関するものである。
【背景技術】
【０００２】
従来から、洋式便器に設置されて人体局部の洗浄を行う温水洗浄便座装置本体と、トイレ室の壁面等に取り付けられて同温水洗浄便座装置本体の動作を操作するワイヤレスリモコンと、を備えた温水洗浄便座装置は一般に知られている。一般の温水洗浄便座装置はトイレ室に一台だけ設置することを前提に製造されており、このような温水洗浄便座装置をビル等の公共性が高くて複数のトイレ室が並んだ所で、更に、天井が開放されているような所に複数設置すると、隣等他のトイレ室で操作したワイヤレスリモコンからの操作信号がトイレ室の開放部から飛び込んで、その操作信号で誤動作してしまう、所謂、相互干渉問題が発生する。
【０００３】
そこで、従来にあっては、ワイヤレスリモコンと温水洗浄便座装置本体とが一対一で対応するように、アドレス番号を製造時においてそれぞれに設定入力し、同じアドレス番号とされたワイヤレスリモコンと温水洗浄便座装置本体とをセットにして出荷していた。この場合、相互干渉問題は解消されるが、製造、管理が複雑化し、市場でのサービス対応も難しくなる。
【０００４】
また、前記問題を解決するものとして、特開平８−２０９７７６号公報（特許文献１）に示されるものが提案されている。このものは、一機種一種類のワイヤレスリモコンと温水洗浄便座装置本体とでワイヤレスリモコンの相互干渉問題を解消したものであり、製造段階での工数、管理コスト、或いは、流通段階での手間、管理コストを増大させることがなく、市場でも最小限の在庫、管理コストで迅速なサービスを行うことができ、商品、部品交換時等の誤りも無くなり経営上有利な温水洗浄便座装置であるとされている。
【特許文献１】特開平８−２０９７７６号公報
【発明の開示】
【発明が解決しようとする課題】
【０００５】
しかしながら、上記いずれの従来例にあっても、ワイヤレスリモコンの送信部が送信する操作信号を温水洗浄便座装置本体の受信部が受信し難くなる場合がある。すなわち、温水洗浄便座装置本体は洋式便器に設置されてその向きが決定され、温水洗浄便座装置本体の両側のいずれか一方のトイレ室壁面にワイヤレスリモコンはその操作性を配慮して取り付けられるが、温水洗浄便座装置本体の受信部に対してワイヤレスリモコンの送信部が不適切となるような位置に同ワイヤレスリモコンは取り付けられる場合がある。
【０００６】
例えば、トイレ室の窓や手洗い器等の配置によって、所望する位置にワイヤレスリモコンを取り付けることができない場合がある。このような場合、温水洗浄便座装置本体の動作が不確実になったり、動作しなくなったりする不都合を生じる。現実的には、温水洗浄便座装置本体の動作の確実性を重視して受信部が操作信号を受信し易くなるように、ワイヤレスリモコンはその操作性を犠牲にして操作し難い不自然な位置に取り付けられる対応がとられる。
【０００７】
本願発明は、上記背景技術に鑑みてなされたもので、その課題は、ワイヤレスリモコンの取り付け位置が異なっても、その送信部の送信方向を適切となるように変化させて操作信号の送受信が良好に行われるようにし、これによりワイヤレスリモコンの相互干渉問題も解消され、温水洗浄便座装置本体が確実に動作される温水洗浄便座装置を提供することである。
【課題を解決するための手段】
【０００８】
上記課題を解決するために、本願請求項１記載の発明は、操作信号を送信する送信部を有したワイヤレスリモコンと、ワイヤレスリモコンからの操作信号を受信する受信部を有し、受信部にて受信した同操作信号により動作して人体局部の洗浄を行う温水洗浄便座装置本体と、を備えた温水洗浄便座装置であって、ワイヤレスリモコンの送信部の送信方向を可変としてなる。
【０００９】
また、本願請求項２記載の発明は、請求項１記載の温水洗浄便座装置において、送信部が上下に回動することによりその送信方向が可変であることを特徴としている。
【００１０】
また、本願請求項３記載の発明は、請求項１又は請求項２記載の温水洗浄便座装置において、ワイヤレスリモコンはアドレス設定部を有し、アドレス設定部で設定したアドレス番号を含む操作信号を同ワイヤレスリモコンの送信部は送信するものであり、温水洗浄便座装置本体はアドレス番号を記憶する不揮発性メモリを有し、不揮発性メモリに記憶したアドレス番号と前記操作信号に含まれるアドレス番号とが一致した場合にのみ同温水洗浄便座装置本体が動作するものであることを特徴としている。
【発明の効果】
【００１１】
本願請求項１記載の発明である温水洗浄便座装置においては、ワイヤレスリモコンの送信部の送信方向を可変としているので、このワイヤレスリモコンの取り付け位置が異なっても、温水洗浄便座装置本体の受信部に対して適切な送信方向となるように同送信部の送信方向を変化調整することにより、操作信号の送受信は良好に行われるようになって、これによりワイヤレスリモコンの相互干渉問題も解消され、温水洗浄便座装置本体が確実に動作されて人体局部の洗浄を行うことができる。
【００１２】
また、本願請求項２記載の発明である温水洗浄便座装置においては、特に、送信部が上下に回動することによりその送信方向が可変であるので、ワイヤレスリモコンの高さ方向における取り付け位置の相違に対応し易いものとなる。
【００１３】
また、本願請求項３記載の発明である温水洗浄便座装置においては、特に、温水洗浄便座装置本体の不揮発性メモリに記憶したアドレス番号と、ワイヤレスリモコンの送信部からの操作信号に含まれるアドレス番号と、が一致した場合にのみ同温水洗浄便座装置本体は動作するので、ワイヤレスリモコンの相互干渉問題がより確実に解消される。
【発明を実施するための最良の形態】
【００１４】
図１〜３は、本願請求項１〜３全てに対応した一実施形態を示している。この実施形態の温水洗浄便座装置は、図１に示すように、操作信号を送信する送信部１を有したワイヤレスリモコン２と、ワイヤレスリモコン２からの操作信号を受信する受信部３を有し、受信部３にて受信した同操作信号により動作して人体局部の洗浄を行う温水洗浄便座装置本体４と、を備えたものであり、この温水洗浄便座装置において、ワイヤレスリモコン２の送信部１の送信方向を可変としている。
【００１５】
この実施形態の温水洗浄便座装置では、図２に示すように、送信部１が上下に回動することによりその送信方向が可変である。また、図３に示すように、ワイヤレスリモコン２はアドレス設定部５を有し、アドレス設定部５で設定したアドレス番号を含む操作信号を同ワイヤレスリモコン２の送信部１は送信するものであり、温水洗浄便座装置本体４はアドレス番号を記憶する不揮発性メモリ６を有し、不揮発性メモリ６に記憶したアドレス番号と前記操作信号に含まれるアドレス番号とが一致した場合にのみ同温水洗浄便座装置本体４が動作するものである。
【００１６】
以下、この実施形態の温水洗浄便座装置をより具体的詳細に説明する。図１に示すように、トイレ室に設置される洋式便器７の後端部上に、温水洗浄便座装置本体４は取り付けられて設置されている。この場合、トイレ室は公共の建物等において複数隣接して設けられたもので各トイレ室の天井は開放されており、ワイヤレスリモコン２の相互干渉問題が生じ易い環境にある。そして、ワイヤレスリモコン２はトイレ室の一方（洋式便器７の着座使用者にとって左側方）の側壁面１１に取り付けられており、このワイヤレスリモコン２の送信部１と前記温水洗浄便座装置本体４の受信部３との間で操作信号の送受信が行われる。
【００１７】
また、温水洗浄便座装置本体４には、洋式便器７上に着脱自在に載置される便座８と同洋式便器７の上方開口を開閉する便蓋９とが枢支されている。便座８は電気式暖房便座であり、そのＯＮ／ＯＦＦ切換や温度調節等の操作がワイヤレスリモコン２において行われる。温水洗浄便座装置本体４は人体局部の洗浄、すなわち、肛門洗浄或いはビデ洗浄を行うものであり、そのためのノズル１０が洋式便器７の上方開口の後方から前後方向に進退動作されるよう突設されている。このノズル１０の進退動作を伴う洗浄動作も、ワイヤレスリモコン２において操作される。
【００１８】
洋式便器７の後端部上に設置される温水洗浄便座装置本体４の上面の一側方に受信部３は設けられており、トイレ室の一方の側壁面１１に取り付けられるワイヤレスリモコン２の前面の一側方上方に送信部１が設けられている。ワイヤレスリモコン２の前面には送信部１が上下回動自在に設けられる他、各種の操作スイッチ１２が配設されている。具体的には、図２（ａ）に示すように、電源をＯＮ／ＯＦＦする操作スイッチ１２ａ、肛門洗浄動作をＯＮ／ＯＦＦする操作スイッチ１２ｂ、ビデ洗浄動作をＯＮ／ＯＦＦする操作スイッチ１２ｃ、洗浄水の加熱ＯＮ／ＯＦＦ切換や温度調節を行う操作スイッチ１２ｄ、便座８の暖房ＯＮ／ＯＦＦ切換や温度調節を行う操作スイッチ１２ｅ等が配設されている。
【００１９】
図２（ａ）、（ｂ）に示すように、ワイヤレスリモコン２は直方体のケース１３にてその外側が覆われており、ケース１３の前面の一側方上方に開口部１４が形成され、送信部１は同開口部１４で上下回動自在に保持されている。この場合、送信部１は赤外ＬＥＤ等でなり枠体１５内に収容設置されていて、枠体１５が軸部１６を介して前記開口部１４に上下回動自在に支持されている。開口部１４の開口縁には、前記枠体１５の回動を摺接ガイドすると共に同開口縁の隙間を密閉するためパッキン１７が付設されている。また、ケース１３内の裏側底部分には回路基板１８が収容設置されており、送信部１と同回路基板１８とはコード１９を介して電気的に接続されている。
【００２０】
図３（ａ）はワイヤレスリモコン２のアドレス設定部５を示し、２０はマイコン、２１は乾電池等の電源、２２はスイッチ、２３は抵抗である。図３（ｂ）は温水洗浄便座装置本体４側の回路構成図で、２４は交流電源、２５は交流電源２４から直流電圧を作り各部へ供給する直流電源部、２６は交流電源２４の投入から所定の時間をカウントするタイマー、３はワイヤレスリモコン２の送信部１からの操作信号を受信する受信部、６はワイヤレスリモコン２のアドレス番号を記憶する不揮発性メモリ、２７はタイマー２６がカウント中にのみ受信部３が受信したワイヤレスリモコン２のアドレス番号を不揮発性メモリ６に送る書き込み部、２８はタイマー２６のカウント終了後に不揮発性メモリ６に記憶したアドレス番号に対応する受信部３が受信したワイヤレスリモコン２の操作信号に基づいて人体局部の洗浄を行う洗浄動作部である。
【００２１】
次に、この実施形態の温水洗浄便座装置における動作を説明する。ワイヤレスリモコン２は、アドレス設定部５のスイッチ２２の設定によって、マイコン２０の入力ポートＰ１をＨｉ／Ｌｏそれぞれの電位に設定することでマイコン２０が自分のアドレス番号を認識し、使用者が操作したとき、そのアドレス番号を含んだ操作信号を送信部１からこれを駆動させて送信する。
【００２２】
温水洗浄便座装置本体４側では、交流電源２４を投入すると直流電源部２５が直流電圧を発生して各部へ供給し、この直流電圧により各部回路はその機能を動作させる。タイマー２６は交流電源２４投入後カウントをスタートし、所定の時間が経過するとカウントを終了する。このタイマー２６がカウント中にワイヤレスリモコン２を操作してアドレス番号を含んだ操作信号を受信部３に送信すると、書き込み部２７は受信部３が受信したワイヤレスリモコン２のアドレス番号を不揮発性メモリ６に書き込む。タイマー２６がカウントを終了した後は、不揮発性メモリ６への書き込みを行わない。また、タイマー２６がカウントを終了した後に受信部３が受信するワイヤレスリモコン２の操作信号に対しては、不揮発性メモリ６が記憶しているワイヤレスリモコン２のアドレス番号と一致する操作信号によってのみ洗浄動作部２８が動作して人体局部の洗浄を行う。
【００２３】
したがって、複数のトイレ室が隣接する所に設置する際に、ワイヤレスリモコン２のアドレス設定部５を操作して他のトイレ室のワイヤレスリモコン２と異なるアドレス番号に設定しておけば、他のトイレ室からワイヤレスリモコン２の操作信号が飛び込んだとしてもアドレス番号が異なるためその操作信号では動作しない。また、ワイヤレスリモコン２のアドレス設定部５を設置現場で設定することで、設置現場において対応させるワイヤレスリモコン２を温水洗浄便座装置本体４に記憶させることができるので、機種の種類は一種類で対応できる。
【００２４】
以上のように、この実施形態の温水洗浄便座装置においては、ワイヤレスリモコン２の送信部１の送信方向を可変としているので、各設置現場において、このワイヤレスリモコン２の取り付け位置が異なっていても、温水洗浄便座装置本体４の受信部３に対して適切な送信方向となるように同送信部１の送信方向を変化調整することにより、操作信号の送受信は良好に行われるようになって、これによりワイヤレスリモコン２の相互干渉問題も解消され、温水洗浄便座装置本体４の洗浄動作部２８が確実に動作されて人体局部の洗浄を行うことができる。
【００２５】
また、この実施形態の温水洗浄便座装置においては、送信部１が上下に回動することによりその送信方向が可変であるので、ワイヤレスリモコン２の特に高さ方向における取り付け位置の相違に対応し易いものである。また、この実施形態の温水洗浄便座装置においては、温水洗浄便座装置本体４の不揮発性メモリ６に記憶したアドレス番号と、ワイヤレスリモコン２の送信部１からの操作信号に含まれるアドレス番号と、が一致した場合にのみ同温水洗浄便座装置本体４の洗浄動作部２８は動作するので、ワイヤレスリモコン２の相互干渉問題がより確実に解消される。
【００２６】
特に、この場合、タイマー２６がカウント中にのみ受信部３が受信したワイヤレスリモコン２のアドレス番号を書き込み部２７が不揮発性メモリ６に書き込み、タイマー２６のカウント終了後は不揮発性メモリ６に記憶したアドレス番号に対応する受信部３が受信したワイヤレスリモコン２の操作信号に基づいて洗浄動作部２８が動作するので、設置現場においてワイヤレスリモコン２の操作信号の相互干渉問題を解消するよう設定することができ、機種の種類は一種類あればよく、製造段階での工数、管理コスト、或いは、流通段階での手間、管理コストを増大させることがなく、市場でも最小限の在庫、管理コストで迅速なサービスを行うことができ、商品、部品交換時等の誤りも無くなって、経営上有利な温水洗浄便座装置となる。
【図面の簡単な説明】
【００２７】
【図１】本願発明の一実施形態である温水洗浄便座装置の施工状態を示す概略斜視図。
【図２】同温水洗浄便座装置におけるワイヤレスリモコンを示す（ａ）は斜視図、（ｂ）は（ａ）におけるＸ−Ｘ断面図。
【図３】同温水洗浄便座装置における（ａ）はワイヤレスリモコンのアドレス設定部の回路構成図、（ｂ）は温水洗浄便座装置本体側の回路構成図。
【符号の説明】
【００２８】
１  送信部
２  ワイヤレスリモコン
３  受信部
４  温水洗浄便座装置本体
５  アドレス設定部
６  不揮発性メモリ
【図１】
2008050858.tif 000003
【図２】
2008050858.tif 000004
【図３】
2008050858.tif 000005